(57)【要約】【課題】撮影範囲を把握することを可能とする。【解決手段】撮影範囲ランプ１４は、カメラの筐体の所定の面に設けられているランプであって、そのランプが点灯することにより、面の方向にある対象物の面上に形成される光点の位置は、カメラの撮影範囲に対応する位置となる。撮影範囲ランプ設定スイッチ２２は、撮影範囲ランプ１４の点灯を設定するものである。液晶表示パネル２６は、被写体の画像等を液晶表示するものである。本発明は、カメラに適用することができる。【選択図】図４
2010258640.tif 000002
【特許請求の範囲】
【請求項１】
カメラの筐体の所定の面に設けられているランプであって、そのランプが点灯することにより、上記面の方向にある対象物の面上に形成される光点の位置が、上記カメラの撮影範囲に対応する位置となっているランプと、
上記ランプの点灯を制御する制御手段と
を有することを特徴とするカメラ。
【請求項２】
請求項１に記載のカメラにおいて、
前記カメラはズーム機能を有し、
前記制御手段は、焦点距離の変更に対応させて前記ランプの出射する光の方向を変更させる
ことを特徴とするカメラ。
【請求項３】
請求項１に記載のカメラにおいて、
撮影中の画像を表示する表示手段であって、前記筐体に対して可動可能に取り付けられている表示手段をさらに有し、
上記表示手段の画像を表示する面が撮影方向と同じ方向を向いているとき、前記ランプの点灯を禁止する
ことを特徴とするカメラ。
【請求項４】
請求項１に記載のカメラにおいて、
前記制御手段は、撮影が行われる所定のタイミングで、前記ランプを消灯する
ことを特徴とするカメラ。
【請求項５】
請求項１に記載のカメラにおいて
撮影対象の画像から顔の画像を検出する検出手段をさらに有し、
前記制御手段は、上記顔の画像が、前記光点Ｐの位置に基づく撮影範囲内に入っていない場合には、その旨を提示する
ことを特徴とするカメラ。
【請求項６】
カメラの筐体の所定の面に設けられているランプであって、そのランプが点灯することにより、上記面の方向にある対象物の面上に形成される光点の位置が、上記カメラの撮影範囲に対応する位置となっているランプの点灯を制御する制御ステップと
を含むことを特徴とするカメラ制御方法。
【発明の詳細な説明】
【技術分野】
【０００１】
本発明は、カメラおよびカメラ制御方法に関するものである。
【背景技術】
【０００２】
カメラには、ファインダが設けられており、ユーザーは、そのファインダを覗いて撮影範囲を確認することができる。またデジタルスチルカメラやデジタルビデオカメラ、カメラ付き携帯電話機には、撮影中の画像をリアルタイムでモニターすることができる表示部が設けられており、ユーザーは、その表示部の画像を参照して撮影範囲を確認することができる。
【０００３】
カメラ付き携帯電話機等において表示部の位置および向きを変更する技術も各種開発されている（特許文献１）。
【先行技術文献】
【特許文献】
【０００４】
【特許文献１】特開２００３−３０４３１６号公報
【発明の概要】
【発明が解決しようとする課題】
【０００５】
しかしながら、ユーザーの撮影時の体勢等によっては、表示部で撮影中の画像を見ることができないときがある。そのような場合、ユーザーは、撮影範囲を把握することができないので、望むような風景を撮影することができない。
【０００６】
本発明は、このような状況に鑑み、カメラの撮影範囲を容易に把握することができるようにするものである。
【課題を解決するための手段】
【０００７】
本発明の一側面のカメラは、カメラの筐体の所定の面に設けられているランプであって、そのランプが点灯することにより、面の方向にある対象物の面上に形成される光点の位置が、カメラの撮影範囲に対応する位置となっているランプと、ランプの点灯を制御する制御手段とを有することを特徴とする。
【０００８】
カメラはズーム機能を有し、制御手段は、焦点距離の変更に対応させてランプの出射する光の方向を変更させることができる。
【０００９】
撮影中の画像を表示する表示手段であって、筐体に対して可動可能に取り付けられている表示手段をさらに有し、表示手段の画像を表示する面が撮影方向と同じ方向を向いているとき、ランプの点灯を禁止することができる。
【００１０】
制御手段は、撮影が行われる所定のタイミングで、ランプを消灯することができる。
【００１１】
撮影対象の画像から顔の画像を検出する検出手段をさらに有し、制御手段は、顔の画像が、光点Ｐの位置に基づく撮影範囲内に入っていない場合には、その旨を提示することができる。
【００１２】
本発明の一側面のカメラ制御方法は、カメラの筐体の所定の面に設けられているランプであって、そのランプが点灯することにより、面の方向にある対象物の面上に形成される光点の位置が、カメラの撮影範囲に対応する位置となっているランプの点灯を制御する制御ステップを含むことを特徴とする。
【００１３】
本発明の一側面のカメラおよびカメラ制御方法において、カメラの筐体の所定の面に設けられているランプであって、そのランプが点灯することにより、面の方向にある対象物の面上に形成される光点の位置が、カメラの撮影範囲に対応する位置となっているランプの点灯が制御される。
【発明の効果】
【００１４】
本発明によれば、カメラの撮影範囲を容易に把握することができる。
【図面の簡単な説明】
【００１５】
【図１】本発明の実施の形態のカメラ１の、前方斜め上から見たときの外観斜視図である。
【図２】図１のカメラ１の、後方斜め上から見たときの外観斜視図である。
【図３】図１のカメラ１の内部の構成例を示すブロック図である。
【図４】図１の撮影範囲ランプ１４の点灯例を示す図である。
【図５】図１の撮影範囲ランプ１４の他の点灯例を示す図である。
【図６】図１の撮影範囲ランプ１４の使用例を示す図である。
【図７】撮影処理の流れを示すフローチャートである。
【図８】本発明の実施の形態のカメラ付き携帯電話機１０１の構成例を示す図である。
【発明を実施するための形態】
【００１６】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。したがって、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１７】
本発明の一側面のカメラは、
カメラの筐体の所定の面に設けられているランプであって、そのランプが点灯することにより、面の方向にある対象物の面上に形成される光点の位置が、カメラの撮影範囲に対応する位置となっているランプ（たとえば、図１の撮影範囲ランプ１４）と、
ランプの点灯を制御する制御手段（たとえば、図３のＣＰＵ５１）と
を有することを特徴とする。
【００１８】
カメラはズーム機能（たとえば、図３の撮影部５３）を有し、
制御手段は、焦点距離の変更に対応させてランプの出射する光の方向を変更させることができる。
【００１９】
撮影中の画像を表示する表示手段であって、筐体に対して可動可能に取り付けられている表示手段（たとえば、図８の表示部１２１）をさらに有し、
表示手段の画像を表示する面が撮影方向と同じ方向を向いているとき、ランプ（たとえば、撮影範囲ランプ１３２）の点灯を禁止することができる。
【００２０】
［カメラ１の外観の構成例］
図１は、本発明の実施の形態にかかるデジタルカメラ１（以下、カメラ１と略称する）の、前方斜め上から見たときの外観斜視図である。
【００２１】
カメラ１の前面には、撮影光学系を有するレンズ鏡胴１１、被写体に向けてフラッシュを発光するためのフラッシュ発光窓１２、および被写体を見るためのファインダ対物窓１３が設けられている。カメラ１の前面にはまた、４個の撮影範囲ランプ１４−１から１４−４（以下、個々に区別する必要がない場合、撮影範囲ランプ１４と称する。他の場合においても同様である）が設けられている。撮影範囲ランプ１４の詳細については、後述する。
【００２２】
カメラ１の上面には、レリーズボタン１５、および撮影モードダイヤル１６が設けられている。レリーズボタン１５は、半押しと全押しの２つの操作態様を有している。「半押し」とは、レリーズボタン１５をある程度押し込み、その位置で止める操作のことである。「全押し」とは、レリーズボタン１５を全部押し込む操作のことであり、全押し操作により撮影が行なわれる。
【００２３】
撮影モードダイヤル１６は、撮影モードを設定する際に操作される。この撮影モードには、夜景モード、夕焼けモード、スポーツモード、マクロモード、およびポートレートモードなどがある。
【００２４】
図２は、図１のカメラ１の、後方斜め上から見たときの外観斜視図である。
【００２５】
カメラ１の背面には、電源ボタン２１、撮影範囲ランプ設定スイッチ２２、メニュー切替えおよび実行キー２３、広角ズームキー２４、望遠ズームキー２５、液晶表示パネル２６、およびファインダ接眼窓２７が備えられている。
【００２６】
電源ボタン２１は、カメラ１の電源をＯＮ／ＯＦＦするものである。撮影範囲ランプ設定スイッチ２２は、撮影範囲ランプ１４の点灯を設定するものである。メニュー切替えおよび実行キー２３は、撮影モード時には静止画撮影、再生モード時には静止画再生に使用されるメニューを自在に切り替えて設定条件を選択して実行するキーである。
【００２７】
広角ズームキー２４は、焦点距離を広角側に変更するためのキーであり、望遠ズームキー２５は、焦点距離を望遠側に変更するためのキーである。液晶表示パネル２６は、被写体の画像、メニュー切替えおよび実行キー２３のメニュー等を液晶表示するものである。ファインダ接眼窓２７は、ユーザーが撮影の際に被写体を覗く窓である。
【００２８】
カメラ１の側面には、記録媒体装填口３１が設けられている。記録媒体装填口３１から、画像データが記録される、メモリーカード等の記録媒体３２が取出し自在に装填される。
【００２９】
［カメラ１の内部の構成例］
図３は、カメラ１の内部の構成例を示すブロック図である。ＣＰＵ（Ｃｅｎｔｒａｌ  Ｐｒｏｃｅｓｓｉｎｇ  Ｕｎｉｔ：中央処理装置）５１には、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ：電気消去可能プログラマブル読出し専用メモリー）５１Ａ、ＲＯＭ（Ｒｅａｄ  Ｏｎｌｙ  Ｍｅｍｏｒｙ：読出し専用メモリー）５１Ｂ等が内蔵されている。ＥＥＰＲＯＭ５１Ａは、書き換え可能な不揮発性メモリーで構成されている。ＲＯＭ５１Ｂには、プログラムが格納されている。このプログラムの手順に従ってカメラ１の動作がＣＰＵ５１により制御される。
【００３０】
操作部５２は、カメラ１の背面および上面に備えられているレリーズボタン１５等の各操作子の操作を受け付けて、その操作内容を示す信号をＣＰＵ５１に出力する。
【００３１】
撮影部５３は、ズームレンズ５３Ａ、およびフォーカスレンズ５３Ｂ、並びにＣＣＤ（Ｃｈａｒｇｅ  Ｃｏｕｐｌｅｄ  Ｄｅｖｉｃｅｓ：電荷結合素子）５３Ｃを有して構成されている。
【００３２】
ズームレンズ５３Ａに入射した被写体光は、フォーカスレンズ５３Ｂを経て、ＣＣＤ５３Ｃに結像する。
【００３３】
光学制御部５４は、ＣＰＵ５１からの指示に従って、図示せぬモーターを制御して、撮影部５３のズームレンズ５３Ａ、フォーカスレンズ５３Ｂを駆動させる。
【００３４】
信号処理部５５は、ＣＣＤ５３Ｃから出力された画像信号の雑音を低減する処理等を行う。Ａ／Ｄ変換部５６は、アナログ信号をデジタル化したＲＧＢ信号に変換する。
【００３５】
画像処理部５７は、Ａ／Ｄ変換部５６で変換されたＲＧＢ信号のＲ成分、Ｇ成分、Ｂ成分のバランスを調整することにより、画像データの白色のバランスを調整する等の処理を実行する。また画像処理部５７は、被写体像の階調特性（いわゆるγカーブ）を調整する。画像メモリー５８は、画像処理部５７で画像処理が施されたＲＧＢ信号を一時的に記憶する。
【００３６】
表示制御部５９は、ＣＰＵ５１から供給された画像信号を液晶表示パネル２６に供給し、液晶表示パネル２６上に画像として表示させる。
【００３７】
カードインターフェース（Ｉ／Ｆ）６０は、記録媒体３２への信号の書き込みまたは読み出しをインターフェースする。
【００３８】
ランプ駆動部６１は、ＣＰＵ５１の制御に従って、撮影範囲ランプ１４の駆動を制御する。
【００３９】
［撮影範囲ランプ１４の説明］
図４は、撮影範囲ランプ１４の点灯例を示す図である。撮影範囲ランプ１４は、それから出射された光がカメラ１の撮影方向にある対象物の面（以下、撮影面ＩＦとも称する）に到達して形成される光点Ｐが、カメラ１の撮影範囲に相当する領域（図４中、点線で囲まれている領域）の四隅に位置するように取り付けられている。
【００４０】
このように撮影範囲ランプ１４を点灯させることにより、ユーザーは、撮影面ＩＦにおける光点Ｐを確認することができ、液晶表示パネル２６の画像を参照しなくても、カメラ１の撮影範囲をイメージすることができる。たとえばカメラ１をユーザーに向けて、ユーザー自身を撮影するような場合では、液晶表示パネル２６で撮影範囲を確認することができないが、自分の背景の面（たとえば、壁等）に形成された撮影範囲ランプ１４の光点Ｐの位置を確認することにより、カメラ１の撮影範囲を容易に確認することができる。その結果、ユーザーは、自分がその範囲に入るように、カメラ１の向き等を調整することができ、ユーザー自身を確実に撮影することができる。
【００４１】
また被写体とされた人も、自分の後ろに写る光点Ｐを確認すれば、自分が撮影範囲内に入っているかまた撮影範囲のどの位置にいるかを確認することができる。
【００４２】
なお撮影範囲ランプ１４の向き等は、たとえば広角ズームや望遠ズームに応じて光点Ｐの間隔が広がったり狭まったりするように制御される。
【００４３】
またカメラ１が撮影面ＩＦに対して対向するように向けられた場合（すなわちカメラ１の正面が撮影面ＩＦを向いている場合）、撮影範囲ランプ１４により撮影面ＩＦに形成される光点Ｐは、図５の上段に示すように、それらを結べば略長方形の領域（図中、点線で結ばれている領域）となる位置に形成される。一方カメラ１の向きが撮影面ＩＦに対して対向していない場合、その撮影面ＩＦに形成される光点Ｐを結ぶ領域は、たとえば、図５の下段に示すように、台形形状となる。すなわち光点Ｐを結んだ領域の形から、カメラ１が適切に正面を向いているか否かを判断することができる。
【００４４】
デジタルカメラには、カラーパッチの撮影の結果得られた各色の値と、各色の理想値とを比較して、理想値の色が得られるようにするカラーキャリブレーション機能を有しているものがある。その場合、カメラがカラーチャートに対向するように向けられてカラーチャートを撮影できれば、より正確にカラーキャリブレーションを行うことができる。たとえば図６の下段のように、カラーチャートが光点Ｐを結ぶ領域内に入っていても（すなわち撮影範囲に入っていても）、その領域の形状が略長方形でなければ、カメラ１がカラーチャートに対向するように向けられていないと判断することができる。その場合、図６の上段に示すように、その領域の形状が略長方形になるようにカメラ１の向き等を調整し、カメラ１がカラーチャートに対向するようにすることができる。このようにカメラ１をカラーチャートに対向させた状態で撮影できれば、より正確にカラーキャリブレーションを行うことができる。
【００４５】
［撮影処理の説明］
図７は、カメラ１の撮影処理の流れを示す図である。ステップＳ１において、ユーザーにより撮影範囲ランプ設定スイッチ２２が操作されて、撮影範囲ランプ１４の点灯が設定されると、ステップＳ２において、ＣＰＵ５１は、ランプ駆動部６１を制御して、撮影範囲ランプ１４を点灯させる。
【００４６】
ステップＳ３において、ＣＰＵ５１は、レリーズボタン１５が全押しされるまで待機し、全押しされたと判定した場合、ステップＳ４において、撮影範囲ランプ１４を消灯させるとともに、ステップＳ５において、撮影部５３および光学制御部５４等を制御して、撮影処理を実行させる。
【００４７】
なお以上においては、リレーズボタン１５が操作されたとき、撮影範囲ランプ１４が消灯するものとしたが、撮影を行うタイミングに合わせて消灯すればよく、たとえば点灯してから所定時間経過したとき消灯するようにすることもできる。
【００４８】
［他の実施例］
以上においては、カメラ１に撮影範囲ランプ１４が設けられている場合を例として説明したが、カメラ付き携帯電話機に撮影範囲ランプを設けることもできる。
【００４９】
図８は、撮影範囲ランプ１３２が取り付けられたカメラ付き携帯電話機１０１の外観の構成例を示す図である。
【００５０】
カメラ付き携帯電話機１０１は、表示部１１１および本体１１２を有して構成されている。表示部１１１の一方の面には、液晶ディスプレイ等からなるモニター表示部１２１が設けられている。表示部１１１は、本体１１２に、本体１１２の横方向の中心を通り上下に延びる軸を回転軸として３６０度回転可能に取り付けられている。
【００５１】
本体１１２の一方の面（以下、裏面と称する）には、図８の最も左側に示すように、テンキー等の各種ボタンが配置されている。本体１１２の他方の面（以下、表面と称する）には、図８の右から２番目に示すように、撮影レンズ１３１が設けられている。すなわちユーザーは、本体１１２を把持して本体１１２の表面を被写体に向けることで、被写体を撮影することができる。本体１１２の表面にはまた、４つの撮影範囲ランプ１３２−１から１３２−４が設けられている。撮影範囲ランプ１３２は、図４の例の場合と同様に、それから出射された光がカメラ付き携帯電話機１０１の撮影方向にある対象物の撮影面ＩＦに到達して形成される光点が、カメラ付き携帯電話機１０１の撮影範囲に相当する領域の四隅に位置するように取り付けられている。ユーザーは、撮影範囲ランプ１３２が点灯して撮影面ＩＦに形成される光点Ｐの位置を参照することにより、撮影範囲を確認することができる。
【００５２】
なおユーザー自身を撮影する場合等において、図８の最も右側に示すように、表示部１１１のモニター表示部１２１が本体１１２の表面（すなわち撮影方向）と同じ方向を向いているとき、ユーザーは、表示部１１１のモニター表示部１２１の画像を参照することができる。したがってこの場合、撮影範囲ランプ１３２が点灯しないようにすることもできる。
【００５３】
また以上においては、デジタルスチルカメラ１およびカメラ付き携帯電話機１０１を例として説明したが、デジタルビデオカメラやフィルムカメラにおいても、本発明を適用することができる。
【００５４】
［他の実施例］
以上においては、４個の撮影範囲ランプを例として説明したが、それより多い数、またはそれより少ない数の撮影範囲ランプを設けることができる。
【００５５】
［他の実施例］
以上においては、ユーザーが光点Ｐを視認して撮影範囲内に入っているか確認するようにしたが、カメラ１に、光点Ｐおよび顔を検出する画像処理機能を持たせ、顔の位置が光点Ｐの位置に基づく撮影範囲に入っていない場合、警告音を出力するなどその旨が提示されるようにすることもできる。なお顔検出は、たとえば人物の目、鼻、および口等の基本的な形状を表すテンプレートを利用したパターンマッチングによる方法（たとえば、特開２００６−２７９４６０号公報参照）といった公知の検出方法を用いて実行することができる。
【符号の説明】
【００５６】
１  カメラ，  １４  撮影範囲ランプ，  ２２  撮影範囲ランプ設定スイッチ，  １０１  カメラ付き携帯電話機，  １１１  表示部，  １１２  本体，  １２１  モニター表示部
【図１】
2010258640.tif 000003
【図２】
2010258640.tif 000004
【図３】
2010258640.tif 000005
【図４】
2010258640.tif 000006
【図５】
2010258640.tif 000007
【図６】
2010258640.tif 000008
【図７】
2010258640.tif 000009
【図８】
2010258640.tif 000010